(57)【特許請求の範囲】
【請求項１】
大きさが異なる左右略同形状の挟合材から成る取付部材にあって、周囲に垂直曲折部を有して成る一方の挟合材の底面部上に他方の挟合材の底面部を載置し、相対する前記両挟合材の一方の内部に設置する雌螺子管に対し、一方の挟合材の側面部から雄螺子を，他方の挟合材の側面部から長尺の雄螺子をそれぞれ螺挿し、両挟合材の上側曲折部の端面部間に被取付材を挟合して本取付部材を取付るようにすることを特徴とする物掛け材の取付具。
【請求項２】
大きさが異なる左右略同形状の挟合材から成る取付部材にあって、周囲に垂直曲折部を有して成る一方の挟合材の底面部上に他方の挟合材の底面部を載置し、相対する前記両挟合材の一方の内部に設置する雌螺子管に対し、一方の挟合材の側面部から雄螺子を，他方の挟合材の側面部から長尺の雄螺子をそれぞれ螺挿し、両挟合材の上側曲折部の端面部間に被取付材を挟合して本取付部材を取付けるようにし、一方の挟合材の側面部の一部に螺装する雄螺子を，竿架け材を設けた取付板が枢着するＬ形板を介して設けて成ることを特徴とする物掛け材の取付具。
【請求項３】
本取付部材の一方の挟合材の外側部に設けたＬ形板の一部に取付板を垂直方向に回動し得るように枢着し、この取付板に竿架け材を設けて成る請求項２に記載した物掛け材の取付具。
【請求項４】
本取付部材の両挟合材の内部における雌螺子管に係止する掛止部を基端部に設けた支持板の先端部に取付板を水平方向に回動し得るように枢着し、この取付板に竿架け材を設けて成る請求項２に記載した物掛け材の取付具。
【請求項５】
本取付部材の両挟合材の内部における雌螺子管を挿通する長孔を基端部に設けた支持板の先端部に取付板を水平方向に回動し得るように枢着し、この取付板に竿架け材を設けて成る請求項２に記載した物掛け材の取付具。
【発明の詳細な説明】
【技術分野】
【０００１】
本発明は、主として一般家庭において使用する各種物掛け材の取付具に関するものである。
【背景技術】
【０００２】
従来、一般家庭で使用する洗濯物の乾燥のための器具には比較的小型の物干器と呼ばれるものが普通であり、装置といえるほどのものが家屋の内外で使用されることはなかった。その理由は、屋内にあっては、和室の天井下の四方に設置される鴨居や角柱を利用して左右両側部間や三角部間にポール等を架け渡すことはできなかったり、屋外では適当な架け渡たしのための部材や設備が存しなかったことによるといえる。
【０００３】
関係物品について公知文献としては、次に例示するようなものが認められる。
【先行技術文献】
【特許文献】
【０００４】
【特許文献１】特開２００３-１３５８９８号公報
【特許文献２】登実第３１４９７２３号公報
【特許文献３】登実第３１９６９９５号公報
【０００５】
このうち、特許文献１の物干し竿の支持具は、ベランダの桟や壁や窓枠などにワンタッチで取り付けることが可能なものであり、構造的には比較的単純ではあるが、屋内における使用は困難なものであり、特許文献２の物干し金物は、修繕工事やリフォーム時の既設物干し金物の使用ができない場合に、複数の物干し竿支持部を形成した物干しアームの基端部をアーム取付台板に取付け、アーム取付台板の背面側に、室内側板部と室外側板部と室内外両板部の上端部をつなぐ上板部によって、ベランダの手摺り頂部に掛嵌する金物取付部材を設けているもので、あくまでも屋外における臨時使用の場合のものであり、特許文献３の物干し竿は専ら屋内においてカーテンレールの利用を想定したものであるから、屋外における利用は困難なものである。
【発明の概要】
【発明が解決しようとする課題】
【０００６】
そこで、本発明は、屋内外における使用者が選んだ適当場所における窓枠、柱等の任意の被取付材に取付具を取付けて、その各竿架け材に竿材の架け渡しを可能としたり、各種の物掛けを可能とする装置に係る取付具を提供することを目的とするものである。
【課題を解決するための手段】
【０００７】
本発明は、大きさが異なる左右略同形状の挟合材から成る取付部材にあって、周囲に垂直曲折部を有して成る一方の挟合材の底面部上に他方の挟合材の底面部を載置し、相対する前記両挟合材の一方の内部に設置する雌螺子管に対し、一方の挟合材の側面部から雄螺子を，他方の挟合材の側面部から長尺の雄螺子をそれぞれ螺挿し、両挟合材の上側曲折部の端面部間に被取付材を挟合して本取付部材を取付けるようにする物掛け材の取付具である。
【０００８】
また、本発明は、大きさが異なる左右略同形状の挟合材から成る取付部材にあって、周囲に垂直曲折部を有して成る一方の挟合材の底面部上に他方の挟合材の底面部を載置し、相対する前記両挟合材の一方の内部に設置する雌螺子管に対し、一方の挟合材の側面部から雄螺子を，他方の挟合材の側面部から長尺の雄螺子を，それぞれ螺挿し、両挟合材の上側曲折部の端面部間に被取付材を挟合して本取付部材を取付けるようにし、一方の挟合材の側面部の一部に螺装する雄螺子を，竿架け材を設けた取付板が枢着するＬ形板を介して設けて成るものである。
【０００９】
また、本発明は、本取付部材の一方の挟合材の外側部に設けたＬ形板の一部に取付板を垂直方向に回動し得るように枢着し、この取付板に竿架け材を設けて成るものである。
【００１０】
また、本発明は、本取付部材の両挟合材の内部における雌螺子管に係止する掛止部を基端部に設けた支持板の先端部に取付板を水平方向に回動し得るように枢着し、この取付板に竿架け材を設けて成るものである。
【００１１】
また、本発明は、本取付部材の両挟合材の内部における雌螺子管を挿通する長孔を基端部に設けた支持板の先端部に取付板を水平方向に回動し得るように枢着し、この取付板に竿架け材を設けて成るものである。
【発明の効果】
【００１２】
第１に、本取付具は左右に分離した同形状の挟合材の間隔を被取付部材のいかんに合わせて自由に決めて固定することができるものであるから、家屋の内外を問わず、利用者の家屋事情に合わせて物掛け，物干しとして自由に利用することができる。
【００１３】
第２に、家屋内におけるいかなる場所にあっても本取付具を自由に取付けることによって、取付具の一部に又は取付具を延長して設けた竿架け材間に竿材を架けわたすことができる。
【００１４】
第３に、取付具を取付ける場所によって竿架け材の位置を垂直方向又は水平方向に回動することによって自由に決めることができるから、きわめて利便性の高い物干装置となる。
【００１５】
第４に、物干しのみならず広く物掛けとして家屋の内外において自由に使用することができる。
【図面の簡単な説明】
【００１６】
【図１】取付部材全体の分離状態の斜視図
【図２】取付部材の組立状態の要部断面の正面図
【図３】専用工具の斜視図
【図４】取付部材の一被取付材への取付け状態を示す正面図
【図５】取付部材の他被取付材への取付け状態を示す斜視図
【図６】取付部材の他被取付材への取付け状態を示す斜視図
【図７】取付部材の別被取付材への取付け状態を示す斜視図
【図８】図７の取付部材の別被取付材への取付け状態の側面図
【図９】取付部材の別々被取付材への取付け状態を示す斜視図
【図１０】図９の取付部材の別々被取付材への取付け状態の側面図
【図１１】一取付け状態を示す全体の斜視図
【図１２】一取付け状態を示す全体の斜視図
【図１３】一取付け状態を示す全体の斜視図
【図１４】一取付け状態を示す全体の斜視図
【発明を実施するための形態】
【００１７】
本発明を実施するための形態については、図１及び図２において示した本取付具の部材を、図４乃至図１０に示した各種被取付材への取付け状態を見ることによって、それぞれ理解することができるものであり、各図に示した使用状態は、家屋の内外における環境事情に合わせて使用者が選択すればよいのであり、利便性に富んでいるものといえるのである。
【００１８】
図４は、室内に設置している棚柱ａ一部の左右両側面部に対し、両挟合材２，２’の垂直曲折部４，４，４’，４’につづく上側曲折部６，６’の端面部７，７’を挟合する状態を示しているが、この状態は、図２に示すように、一方の挟合材２の側面部と相対する他方の挟合材２’との間に配置する雌螺子管８に対し、一方の挟合材２の側面部から雄螺子９を挿入して雌螺子管に螺合し、他方の挟合材２’の側面部から長尺の雄螺子９’を挿入して雌螺子管８に螺合し、２つの雄螺子９，９’を雌螺子管８において緊締するようにする。
【００１９】
また、図５は、室内外に設置している支柱ａに対し、一方の挟合材２の側面部通孔から雄螺子９を挿入して内部に配置している雌螺子管８に螺合し、他方の挟合材２’の側面部通孔から長尺の雄螺子９’を挿入して雌螺子管８に螺合し、２つの雄螺子９，９’を緊締するようにする。
【００２０】
図６は、室内に設置している棧ｂや窓枠などの一部に対し、両挟合材２，２’の上側曲折部６，６’の端面部７，７’を当接し、一方の挟合材２の側面部から雄螺子９を挿入して内部の雌螺子管８に螺合し、他方の挟合材２’の側面部から長尺の雄螺子９’を挿入して雌螺子管８に螺合し、２つの雄螺子９，９’を緊締するようにする。
【００２１】
図４，図５，図６のいずれの一方の挟合材２にあっては、この挟合材２の一部に一部を雄螺子１１にて螺着したＬ形板１５に竿架け材１２の取付板１３を枢着１４し、竿架け材を垂直方向に回動し得るようにする。
【００２２】
また、図７・図８，図９・図１０にあってはいずれも、いずれかの手段によって被取付材に固定する取付部材１の両挟合材２，２’内部の雌螺子管８に連係する支持板１７の先端部の竿架け材１２に任意の物を掛け止めたり、左右空間に架け渡した竿杆に直接又は間接に物を掛けたり、また支持板上に設けている波形の線杆材２１にはハンガー等を適当に掛け止めたりする。
【００２３】
即ち、図７・図８，図９・図１０に例示した部材の使用例は、図１１・図１２，図１３・図１４にそれぞれ示しているものであるところ、実際には、架け渡した竿杆にハンガーを掛け止める場合のほか、前記した各支持板上の波形線杆材にハンガー等を掛け止める場合もあり、その使用法は利用者の自由である。
【実施例】
【００２４】
まず、本発明の各実施例において使用する各構成部材について説明する。
【００２５】
図１乃至図６に示す実施例について説明する。
【００２６】
１は柱，鴨居，窓枠，棚などの任意の被取付部材に取付く取付部材で、この取付部材は大きさが若干異なる左右同形状の挟合材２，２’から成り、いずれも正面略凹形に成形した挟合材２，２’が対応し、他方の挟合材２’の底面部３’が一方の挟合材２の底面部３の内側部に嵌挿する状態になり、前記両挟合材２，２’においてはいずれもその左右周縁部には互に垂直曲折部４，４，４’，４’を形成し、前記一方の挟合材２の底面部３の垂直曲折部４，４にあってはさらに内側方に水平曲折部５，５を形成し、嵌挿時にこの水平曲折部は前記他方の挟合材２’の底面部３’の垂直曲折部４’，４’を被嵌するようになる。
【００２７】
６，６’は相対する前記挟合材２，２’の上側曲折部で、この上側曲折部の端面部７，７’にはそれぞれ小突起を設け、この小突起により被取付部材面への押圧によって本取付部材１，１の締付け力を増大する。
【００２８】
８は一方の挟合材２の側面部と相対する他方の挟合材２’との間に配置する比較的長尺の雌螺子管で、この雌螺子管に対しては、他方の挟合材２’の側面部から挿入する長尺の雄螺子９’を螺合し、相対する一方の挟合材２の側面部の通孔から挿入する別の雄螺子９を挿入して前記雌螺子管８に螺合し、左右２つの雄螺子９’，９を雌螺子管８においてそれぞれ緊締するようにする。
【００２９】
１０は前記一方の挟合材２の側面部の下位置に設けた通孔に配置する雌螺子で、この雌螺子には雄螺子１１を螺合するが、この雄螺子１１と前記雌螺子１０との間には、図１に示すように、一部に竿架け材１２を設けた取付板１３とこの取付板を枢着１４したＬ形板１５の基端部の通孔１６を配置して一体に螺合するようにする。
【００３０】
また、前記竿架け材１２の取付板１３は、相対する両挟合材２，２’の接合位置の関係によってＬ形板１５との枢着部１４を支点に垂直方向（図５・６の場合）には３６０°回動し、水平方向（図７・８，９・１０）には１８０°回動し、適位置で停止することができるようにする。
【００３１】
図７・図８は垂直な柱ａや窓枠に取付ける例を示しているが、１７は竿架け材１２を先端部に設けた取付板１３を枢着１４した支持板で、この支持板の先端部において竿架け材１２は左右水平方向に各１８０°回動するようになる。この支持板１７と一体に成る基端部の補助板１７’の延長線上には、前記雌螺子管８に係止する掛止部１８を形成する。
【００３２】
１９は前記支持板１７の前側部から後側部方向に斜設した支杆で、この支杆の後端部には当て板２０を設けるが、この当て板の位置は前記支持板１７の補助板１７’の延長線上にある掛止部１８の垂直部の位置と平行に成り、前記柱ａ面に当接するようになる。
【００３３】
前記掛止部１８は、使用時には前記取付部材１の内部に架設されている前記雌螺子管８の適当位置に掛け止めるようになる。
【００３４】
２１は前記支持板１７の上面部に設けた波形状の線杆材で、間隔をおいて左右両側に架設した取付部材の支持板上の線杆材間には任意の竿杆が配置される。また、各支持板１７上の線杆材２１の波形部には、単独の物干しハンガーを掛け止めたり、任意のハンガー等を掛け止めるように使用してよい。（図１３参照）
【００３５】
図９・図１０は鴨居ｂのような水平部に取付ける例を示しているが、２２は竿架け材１２を先端部に設けた取付板１３を枢着１４する支持板で、この支持板の基端部は垂直板２３に成り、壁面に当接するようになり、この支持板２２の前側部と垂直板２３との間には支杆２４を斜設する。
【００３６】
２５は前記支持板２２の上面部に設けた波形状の線杆材で、間隔をおいて左右両側に架設した取付部材の支持板２２上の線杆部間には竿杆が配置されたり、それぞれに任意のハンガーなどを掛け止めるようにする。
【００３７】
２６は前記支持板２２の基端部に設けた長孔で、この長孔には前記取付部材１における両挟合材２，２’の内部に配置する長尺の雌螺子管８が挿入し、前後に位置移動し得るようになる。
【００３８】
２７は本装置の組立てのために使用する専用工具である。
【符号の説明】
【００３９】
１                            取付部材
２，２’                      挟合材
３，３’                      底面部
４，４，４’，４’            垂直曲折部
５，５，                      水平曲折部
６，６’                      上側曲折部
７，７’                      端面部
８                            雌螺子管
９，９’                      雄螺子
１０                          雌螺子部
１１                          雄螺子部
１２                          竿架け材
１３                          取付板
１４                          枢着
１５                          Ｌ形板
１６                          通孔
１７                          支持板
１７’                        補助板
１８                          掛止部
１９                          支杆
２０                          当て板
２１                          線杆材
２２                          支持板
２３                          垂直板
２４                          支杆
２５                          線杆材
２６                          長孔
２７                          専用工具
ａ                            柱
ｂ                            鴨居，棧
【図１】
0006498079.tif 000002
【図２】
0006498079.tif 000003
【図３】
0006498079.tif 000004
【図４】
0006498079.tif 000005
【図５】
0006498079.tif 000006
【図６】
0006498079.tif 000007
【図７】
0006498079.tif 000008
【図８】
0006498079.tif 000009
【図９】
0006498079.tif 000010
【図１０】
0006498079.tif 000011
【図１１】
0006498079.tif 000012
【図１２】
0006498079.tif 000013
【図１３】
0006498079.tif 000014
【図１４】
0006498079.tif 000015